(57)【要約】【課題】プリント写真を簡便に撮影することを可能にする撮影キットを提供すること。【解決手段】天板２１、壁板及び散光板２４により画設された撮影空間２６を有する撮影箱２０を備え、前記撮影空間２６と外部を連通する撮影用穴２１１が、天板２１に設けられていることを特徴とする、撮影キット１０。【選択図】図１
2020173400.tif 000002
【特許請求の範囲】
【請求項１】
天板、壁板及び散光板により画設された撮影空間を有する撮影箱を備え、前記撮影空間と外部を連通する撮影用穴が、天板に設けられていることを特徴とする、撮影キット。
【請求項２】
透明の上抑え部材を有する被写体載置具を備えることを特徴とする、請求項１に記載の撮影キット。
【請求項３】
前記撮影箱がさらに底板を備え、
前記壁板の下部に前記底板に沿って横方向に延びるスリットが設けられており、前記被写体載置具を、前記スリットを通じて前記撮影空間に挿入可能であることを特徴とする、請求項２に記載の撮影キット。
【請求項４】
前記散光板が、その上端から下端に向かって前記撮影空間に入り込むように傾斜していることを特徴とする、請求項１〜３の何れか一項に記載の撮影キット。
【請求項５】
前記撮影箱が折畳み自在であることを特徴とする、請求項１〜４の何れか一項に記載の撮影キット。
【請求項６】
前記撮影箱がさらに底板を備え、
前記散光板が、前記天板又は前記底板に折り曲げ自在に連結しており、
前記散光板に対向する後方壁板が、前記天板又は前記底板に折り曲げ自在に連結しており、
互いに対向する左右２つの側壁板の各々に、水平方向に延びる折り曲げ線が設けられていることで、前記撮影箱を垂直方向に潰すように折り畳むことが可能であることを特徴とする、請求項５に記載の撮影キット。
【請求項７】
前記散光板が、その上端から下端に向かって前記撮影空間に入り込むように傾斜しており、
前記散光板が、前記天板と折り曲げ自在に連結しており、
前記底板と前記散光板とを固定するための散光板固定手段を備えることを特徴とする、請求項６に記載の撮影キット。
【発明の詳細な説明】
【技術分野】
【０００１】
本発明は被写体として写真等を撮影するための撮影キットに関する。
【背景技術】
【０００２】
エコー検査は胎児を可視化する手段として、妊婦健診において広く用いられている。当該検査により得られたエコー写真は妊婦に渡され、妊婦方においてはこれをアルバムにまとめ保存することが一般的に行われている。
しかし、エコー写真に使われている紙は、感熱紙やインスタント写真の場合が多く、ポケットアルバム等にそのまま保存していた場合、経年により徐々に薄くなり、数年後には撮像が消失してしまうことすらある。
このような問題に鑑み、エコー写真をスマートフォンやデジタルカメラによって撮影し、胎児の貴重な成長記録をデジタルデータとして保存することが行われている。
【０００３】
また、妊婦健診により得られたエコー写真をスマートフォンなどにより撮影し、デジタル化されたエコー写真のデータを親族や友人等に送信し、喜びを共有したりすることも広く行われている。
【０００４】
このようにエコー写真をスマートフォンなどにより撮影することは一般ユーザーによって広く行われているが、一般的にエコー写真を含むプリント写真の表面は光沢を有していることが多いため、室内照明等の反射光が映り込んでしまうことが多い。
この反射光の問題を回避するため、カメラの位置や照明の位置を調整して撮影を試みても、今度は撮影者自身の影が映り込むという問題も生じる。
このように、スマートフォンなどによるプリント写真の撮影には様々な障害があり、きれいに撮影するためには非常に苦労することとなる。
【０００５】
ところで、写真撮影の専門家でなくとも簡便にきれいな写真を撮影するための手段として、種々の撮影キットが提案されている。
例えば特許文献１には、被写体を斜め後方から照射する光源が設けられ、この光源の光を拡散するシートが装置本体の前側上部位置から後板の下部にわたって装置本体内に傾斜状に張設され、装置本体の前板の上部に撮影用カメラを備えてなることを特徴とする箱形の簡易撮影装置が開示されている。
【先行技術文献】
【特許文献】
【０００６】
【特許文献１】特開平１０−２０３６８号公報
【発明の概要】
【発明が解決しようとする課題】
【０００７】
本発明の課題は被写体を簡便に撮影することを可能にする撮影キットを提供することにある。
【課題を解決するための手段】
【０００８】
上記課題を解決する本発明は、天板、壁板及び散光板により画設された撮影空間を有する撮影箱を備え、前記撮影空間と外部を連通する撮影用穴が、天板に設けられていることを特徴とする、撮影キットである。
【０００９】
本発明の撮影キットによれば、反射光や撮影者の影などの映り込みを防ぎ、きれいにプリント写真を撮影することができる。
特に天板に撮影用穴が設けられているため、平坦な形状をとっているスマートフォンによる撮影に好適である。
【００１０】
本発明の好ましい形態では、透明の上抑え部材を有する被写体載置具を備えることを特徴とする。
本形態の発明によれば、被写体載置具の透明の上抑え部材によって被写体であるプリント写真を抑えることができるため、プリント写真のたわみを抑えながら撮影できる。
【００１１】
本発明の好ましい形態では、前記撮影箱がさらに底板を備え、
前記壁板の下部に前記底板に沿って横方向に延びるスリットが設けられており、前記被写体載置具を、前記スリットを通じて前記撮影空間に挿入可能であることを特徴とする。
かかる形態の本発明によれば、被写体の撮影空間への出し入れを容易に行うことができる。また、撮影空間内における被写体の位置を、被写体載置具の操作により調整することができる。
【００１２】
本発明の好ましい形態では、前記散光板が、その上端から下端に向かって前記撮影空間に入り込むように傾斜していることを特徴とする。
これにより、外部の環境光を撮影空間内に効率的に拡散することができ、被写体をきれいに撮影することができる。
【００１３】
本発明の好ましい形態では、前記撮影箱が折畳み自在であることを特徴とする。これにより、撮影箱が収納時にかさばらず、また、簡便に郵送可能となる。
【００１４】
本発明の好ましい形態では、前記撮影箱がさらに底板を備え、
前記散光板が、前記天板又は前記底板に折り曲げ自在に連結しており、
前記散光板に対向する後方壁板が、前記天板又は前記底板に折り曲げ自在に連結しており、
互いに対向する左右２つの側壁板の各々に、水平方向に延びる折り曲げ線が設けられていることで、前記撮影箱を垂直方向に潰すように折り畳むことが可能であることを特徴とする。
このような形態とすることで撮影箱をよりコンパクトかつ簡便に折り畳むことが可能となる。
【００１５】
本発明の好ましい形態では、前記散光板が、その上端から下端に向かって前記撮影空間に入り込むように傾斜しており、
前記散光板が、前記天板と折り曲げ自在に連結しており、
前記底板と前記散光板とを固定するための散光板固定手段を備えることを特徴とする。
散光板固定手段を設けることで、組み立て時の撮影箱において傾斜して設けられた散光板を一定の位置に留め、撮影時の安定性を向上させることができる。
【発明の効果】
【００１６】
本発明の撮影キットによれば、スマートフォン等で簡便かつ綺麗にプリント写真を撮影することが可能である。
【図面の簡単な説明】
【００１７】
【図１】撮影箱の斜視図である。
【図２】撮影箱のII−II断面図である。
【図３】被写体載置具において上抑え部材をめくり、被写体であるプリント写真を台座部に載置する様子を表す図である。
【図４】本発明の撮影キットを用いてスマートフォンによりプリント写真を撮影する様子を表す図である。
【図５】（ａ）組み上げた状態の撮影箱を示す図。（ｂ）散光板と後方壁板の固定手段を外し、それぞれ撮影箱の内側に折り畳む様子を表す図。（ｃ）散光板と後方壁板を撮影箱の内側に折り込みまがら、内側に屈出するように側壁板の折り曲げ線を折り曲げ始める様子を表す図。（ｄ）撮影箱を完全に折り畳んだ様子を表す図。
【発明を実施するための形態】
【００１８】
以下、本発明の実施の形態について適宜図面を参照しながら説明を加えるが、本発明の技術的範囲は以下の実施の形態に限定されない。
【００１９】
本発明の撮影キット１０を用いた撮影の被写体５０は限定されないが平薄物が好適に例示できる。平薄物としては、例えば普通紙（ＰＰＣ用紙；再生紙を含む）、葉書、光沢紙あるいはコート紙と呼ばれる上質紙、感熱紙、熱転写紙、カーボン紙、感圧紙（登録商標）、感光紙、ＯＣＲ（Optical Character Reader）用紙、フィルム質を主成分とするＯＨＰ（Over Head Projector ）フィルムなどが好適に挙げられる。
【００２０】
特に照明光の反射により撮影が困難である表面に光沢のある平薄物、具体的には、光沢紙、感熱紙、感光紙、熱転写紙などに顕像されたプリント写真を被写体とする場合に、本発明の撮影キット１０は有効である。
【００２１】
本発明の撮影キット１０は撮影箱２０を必須の構成とする。被写体載置具３０は必ずしも備えていなくとも良いが、後述するように、より美しい写真を撮影するために被写体載置具３０は非常に有用である。
以下、撮影箱２０と被写体載置具３０を備える本発明の実施形態について詳述する。
【００２２】
撮影キット１０における撮影箱２０は、天板２１、側壁板２２、後方壁板２３、及び散光板２４及び底板２５を備える。そして、撮影箱２０は、これらの板材により画設された撮影空間２６を内部に備える（図１、図２）。
【００２３】
なお、本明細書においては、側壁板２２及び後方壁板２３の総称として「壁板」という語を用いることがある。
また、天板２１、側壁板２２、後方壁板２３、散光板２４及び底板２５の総称として「板材」という語を用いることがある。
【００２４】
撮影空間２６は、散光板２４以外から、撮影の支障になるような外部光が実質的に侵入しないように画設することが好ましい。言い換えれば、散光板以外からの撮影空間２６への外部光の侵入を完全に遮断するように上述の板材を接続する必要はなく、数ミリ程度の隙間があっても構わない。
【００２５】
天板２１には、撮影箱２０の外部と撮影空間２６を連通する撮影用穴２１１が設けられている（図１、図２）。天板２１に撮影用穴２１１が設けられているため、撮影空間２６に置かれた被写体を真上から撮影することができる。これにより、被写体が平薄物である場合、遠近歪みを抑えて撮影することができる。
【００２６】
散光板２４は、透光性と散光性を備えるものであれば、その材質は特に制限されず、例えば白色の布帛、セロハン紙、トレーシングペーパー、乳白色の樹脂シートなどを例示することができる。
【００２７】
なお、散光板２４の全面が、上述した透光性と散光性を備えた材料で構成されている必要はない。撮影空間２６の内部に撮影に十分な光を取り込むことができる程度の面積が透光性・散光性を有する材料で構成されていれば良い。
【００２８】
本実施例において、散光板２４は、その上端から下端に向かって撮影空間２６に入り込むように傾斜している（図１、図２）。これにより、撮影空間２６の内部に、美しい写真撮影を可能とする散光状態を実現することができる。
【００２９】
特許文献１においては撮影箱に照明を取り付け、これを撮影のための光源としている。しかし、本実施例においては撮影箱２０に照明を取り付ける必要はない。室内照明等の環境光を、散光板２４を通じて撮影空間２６に取り込むことで十分な光源とすることができる。
【００３０】
なお、本実施例においては最も好ましい形態として散光板２４を上端から下端に向かって撮影空間２６に入り込むように斜設しているが、この形態に限定されるものではない。底板２５または天板２１に対して垂直に設けてもよいし、下端から上端に向かって撮影空間２６に入り込むように斜設してもよい。
【００３１】
被写体載置具３０は、平板状の上抑え部材３１と台座部３２が重なり、連結具３３によって連結された構成をとる（図３）。被写体載置具３０によれば、上抑え部材３１と台座部３２によって、平薄物である被写体５０を挟んで保持することができる。これによって、被写体５０のたわみを抑えることができ、簡便に撮影をすることができる。また、上抑え部材３１は透明であるため、撮影の妨げとなることが無い。
【００３２】
なお、被写体載置具３０は、平薄物である被写体５０を挟んで保持することができれば、その構成は特に限定されない。例えば、台座部３２に被写体５０を保持できるクリップ等の保持部材を設ける形態としてもよい。この場合、前記保持部材は、撮影の妨げにならないように、透明であることが好ましい。
【００３３】
互いに対向する左右２つの撮影箱２０の側壁板２２の下部には、底板２５に沿って横方向に延びるスリット２２１が設けられている（図１）。このスリット２２１を通じて、被写体載置具３０を撮影空間２６に挿入することができる（図４）。
【００３４】
特許文献１に開示されているような従来の撮影箱においては、壁面に設けられた開口を大きく開き、ここから被写体を撮影空間に載置する必要があった。
しかし、本実施例においては、スリット２２１を通して簡便に撮影空間２６内部に被写体５０を載置することができる（図４）。
【００３５】
また、スリット２２１への挿入時において撮影箱２０からはみ出した被写体載置具３０を操作することで、撮影空間２６の内部における被写体５０の位置を調整することが可能となる。
【００３６】
スリット２２１は、被写体載置具３０を挿入した際に、被写体５０を撮影用穴２１１の直下に位置づけられるように設けることが好ましい（図４）。このような構成とすることで、被写体５０を真上から撮影することができ、遠近歪み無く被写体５０を撮影することができる。
【００３７】
なお、底板２５を備えない実施の形態としてもよい。すなわち、天板２１、側壁板２２、後方壁板２３及び散光板２４により画設された撮影空間２６を備え、底面が開放している形態としてもよい。
このような底面開放の形態とする場合には、撮影用穴２１１の直下に被写体５０が位置するように、被写体５０の上に撮影箱２０を載せて使用する。
【００３８】
図４に本実施例の撮影キット１０を用いてスマートフォン４０により被写体５０を撮影する様子を示す。図４に示すように、天板２１に撮影用穴２１１が設けられているため、平板形状のスマートフォン４０を天板２１に載置して撮影することができる。これにより、スマートフォン４０を手で持って撮影したときの手ブレが生じることなく、安定した撮影が可能となっている。
【００３９】
なお、撮影機はスマートフォン４０に限られず、通常のデジタルカメラであっても問題ないことはいうまでもない。
【００４０】
本実施例の撮影箱２０は折畳み式であり、かさばることなく収納することが可能であり、また封筒などに入れて郵送することも可能である（図５）。
【００４１】
より具体的には、散光板２４と天板２１は折り曲げ自在に連結している。
また、後方壁板２３と底板２５も折り曲げ自在に連結している（図２、図５）。
そして、互いに対向する左右２つの側壁板２２の各々には、水平方向に延びる折り曲げ線２２２が設けられている。
このような構成をとるため、散光板２４及び後方壁板２３を撮影箱２０の内側（又は外側）に折り畳み、かつ、側壁板２２を撮影箱２０に屈出するように折り曲げることで、撮影箱２０を垂直方向に潰すように折り畳むことが可能である（図５（ｄ））。
【００４２】
図５を参照しながら撮影箱２０を折り畳む手順をより詳細に説明する。
散光板２４と後方壁板２３は、それぞれ散光板固定手段２４１と後方壁板固定手段２３１により固定されている（図５（ａ））。これら固定手段を外し、幕部材２３３及び２４３の折り曲げ線２３４及び２４４、並びに折り代２３２及び２４２を折り曲げながら、散光板２４及び後方壁板２３を撮影箱２０の内側に折り込む（図５（ｂ））。散光板２４及び後方壁板２３を撮影箱２０の内側に折り込みながら、側壁板２２の折り曲げ線２２２を内側に屈出するように折り曲げ（図５（ｃ））、垂直方向に潰すように折り畳む（図５（ｄ））。
【００４３】
散光板２４は上端から下端に向かって撮影空間２６に入り込むように斜設されている。また、撮影箱２０の組み立て時において、その斜設状態を安定に維持するために、底板２５と散光板２４を固定するための散光板固定手段２４１が設けられている。
【００４４】
本実施例においては、散光板２４の下端に折り代２４２が設けられており、この折り代２４２に設けられた弧状の切込みが散光板固定手段２４１として機能している。すなわち、弧状の切込みにより形成されたツメを底板２５に掛けることで、散光板２４を固定している（図１）。
【００４５】
また、組み立て時において、散光板２４と折り代２４２の角度を、散光板２４の斜設角度θ１に等しい角に制御するため、散光板２４の高さ方向の辺と、折り代２４２の奥行方向の辺とをつなぐ幕部材２４３を設けることが好ましい（図１）。
幕部材２４３は、散光板２４の斜設角度θ１と等しい角度の角を有し、その斜辺に散光板２４が、その対辺に折り代２４２が、それぞれ折り畳み自在に連結している（図１）。
【００４６】
そして、幕部材２４３には、前記角から直延した折り曲げ線２４４が設けられている。これにより、幕部材２４３を撮影箱２０の内側方向に屈出するように折り曲げることで、散光板２４と折り代２４２を折り畳むことができる（図１、図５（ａ））。
【００４７】
後方壁板２３は底板２５と折り曲げ自在に連結しており、後方壁板２３の上端には、後方壁板２３と天板２１を固定する後方壁板固定手段２３１が設けられている（図２）。
【００４８】
本実施例においては、後方壁板２３の上端に折り代２３２が設けられており、この折り代２３２に設けられた弧状の切込みが後方壁板固定手段２３１として機能している。すなわち、弧状の切込みにより形成されたツメを天板２１に掛けることで、後方壁板２３を固定している。
【００４９】
また、組み立て時において、後方壁板２３と折り代２３２の角度を、後方壁板２３の斜設角度θ２に等しい角に制御するため、後方壁板２３の高さ方向の辺と、折り代２３２の奥行方向の辺とをつなぐ幕部材２３３を設けることが好ましい。
幕部材２３３は、後方壁板２３の斜設角度θ２と等しい角度の角を有し、その斜辺に後方壁板２３が、その対辺に折り代２３２が、それぞれ折り畳み自在に連結している。
【００５０】
そして、幕部材２３３には、前記角から直延した折り曲げ線２３４が設けられている。これにより、幕部材２３３を撮影箱２０の内側方向に屈出するように折り曲げることで、後方壁板２３と底板２５を折り畳むことができる。
【００５１】
本実施例に示した撮影箱２０の折り畳み形態は一例に過ぎず、他の形態としてもよい。
本実施例では、散光板２４が、天板２１と折り曲げ自在に連結した形態を示したが、底板２５と折り曲げ自在に連結した形態であってもよい。
また、本実施例では、後方壁板２３が、底板２５と折り曲げ自在に連結した形態を示したが、天板２１と折り曲げ自在に連結した形態であってもよい。
【００５２】
また、天板２１、側壁板２２、後方壁板２３及び散光板２４が、一枚の展開体に展開可能な構成としてもよい。
【産業上の利用可能性】
【００５３】
本発明はプリント写真の撮影キットに応用することができる。
【符号の説明】
【００５４】
１０  撮影キット
２０  撮影箱
２１  天板
２１１  撮影用穴
２２  側壁板
２２１  スリット
２２２  折り曲げ線
２３  後方壁板
２３１  後方壁板固定手段
２３２  折り代
２３３  幕部材
２３４  折り曲げ線
２４  散光板
２４１  散光板固定手段
２４２  折り代
２４３  幕部材
２４４  折り曲げ線
２５  底板
２６  撮影空間
３０  被写体載置具
３１  上抑え部材
３２  台座部
４０  スマートフォン
５０  被写体（プリント写真）
【図１】
2020173400.tif 000003
【図２】
2020173400.tif 000004
【図３】
2020173400.tif 000005
【図４】
2020173400.tif 000006
【図５】
2020173400.tif 000007
【手続補正書】
【提出日】令和1年8月14日(2019.8.14)
【手続補正１】
【補正対象書類名】特許請求の範囲
【補正対象項目名】全文
【補正方法】変更
【補正の内容】
【特許請求の範囲】
【請求項１】
天板、壁板及び散光板により画設された撮影空間を有する撮影箱を備え、前記撮影空間と外部を連通する撮影用穴が、天板に設けられていて、前記天板のある方向が上、前記撮影空間を挟んで相対する方向を下としたときに、前記散光板が、その上端から下端に向かって前記撮影空間に入り込むように傾斜していることを特徴とする、撮影キット。
【請求項２】
透明の上抑え部材を有する被写体載置具を備えることを特徴とする、請求項１に記載の撮影キット。
【請求項３】
前記撮影箱がさらに底板を備え、
前記壁板の下部に前記底板に沿って横方向に延びるスリットが設けられており、前記被写体載置具を、前記スリットを通じて前記撮影空間に挿入可能であることを特徴とする、請求項２に記載の撮影キット。
【請求項４】
前記撮影箱が折畳み自在であることを特徴とする、請求項１〜３の何れか一項に記載の撮影キット。
【請求項５】
前記撮影箱がさらに底板を備え、
前記散光板が、前記天板又は前記底板に折り曲げ自在に連結しており、
前記散光板に対向する後方壁板が、前記天板又は前記底板に折り曲げ自在に連結しており、
互いに対向する左右２つの側壁板の各々に、水平方向に延びる折り曲げ線が設けられていることで、前記撮影箱を垂直方向に潰すように折り畳むことが可能であることを特徴とする、請求項４に記載の撮影キット。
【請求項６】
前記散光板が、前記天板と折り曲げ自在に連結しており、
前記底板と前記散光板とを固定するための散光板固定手段を備えることを特徴とする、請求項５に記載の撮影キット。
【手続補正書】
【提出日】令和2年1月6日(2020.1.6)
【手続補正１】
【補正対象書類名】特許請求の範囲
【補正対象項目名】全文
【補正方法】変更
【補正の内容】
【特許請求の範囲】
【請求項１】
天板、壁板、底板及び散光板により画設された撮影空間を有する撮影箱と、被写体載置具と、を備え、前記撮影空間と外部を連通する撮影用穴が、天板に設けられていて、前記天板のある方向が上、前記撮影空間を挟んで相対する方向を下としたときに、前記散光板が、その上端から下端に向かって前記撮影空間に入り込むように傾斜していて、前記壁板の下部に前記底板に沿って横方向に延びるスリットが設けられており、前記被写体載置具を、前記スリットを通じて前記撮影空間に挿入可能であることを特徴とする、撮影キット。
【請求項２】
前記被写体載置具が、透明の上抑え部材を有することを特徴とする、請求項１に記載の撮影キット。
【請求項３】
前記撮影箱が折畳み自在であることを特徴とする、請求項１又は２に記載の撮影キット。
【請求項４】
前記散光板が、前記天板又は前記底板に折り曲げ自在に連結しており、
前記散光板に対向する後方壁板が、前記天板又は前記底板に折り曲げ自在に連結しており、
互いに対向する左右２つの側壁板の各々に、水平方向に延びる折り曲げ線が設けられていることで、前記撮影箱を垂直方向に潰すように折り畳むことが可能であることを特徴とする、請求項３に記載の撮影キット。
【請求項５】
前記散光板が、前記天板と折り曲げ自在に連結しており、
前記底板と前記散光板とを固定するための散光板固定手段を備えることを特徴とする、請求項４に記載の撮影キット。